(57)【特許請求の範囲】
【請求項１】
生分解性を具備する書籍であって、
裏表紙には植物の種を有し、前記種の内部には球状電子タグを含むことを特徴とする植物種入り書籍。
【請求項２】
前記球状電子タグのアンテナコイルは、立体的な８の字形状のループ状コイルであることを特徴とする請求項１記載の植物種入り書籍。
【請求項３】
前記球状電子タグは、前記種が埋められている書籍の内容を記憶していることを特徴とする請求項１若しくは２に記載の植物種入り書籍。
【請求項４】
生分解性を具備する書籍は、生育用肥料成分をさらに含むことを特徴とする請求項１乃至３のいずれか１に記載の植物種入り書籍。
【発明の詳細な説明】
【技術分野】
【０００１】
本発明は、生分解性材料からなる書籍の内部に、当該書籍の内容を記憶した植物の種を有する植物種入り書籍に関するものである。
【背景技術】
【０００２】
近年、環境意識の高まりの中で、二酸化炭素を吸収して酸素を排出する植物の有効性が注目されている。特に森林伐採による環境破壊の影響は大きく、最近では植林活動が多く行われている。
【０００３】
しかし、植林活動に参加するためには、植林用の植物を購入するなどして入手した上で、許可された場所で行う必要があり、一般人が気軽に参加できるものではなかった。
【０００４】
一方、活字離れが社会問題として挙げられる中で、長い年月一度も読まない書籍が数多く本棚に陳列されていたり、フリーペーパー等の使用期間の短い配布書籍が、使用期間後
すぐに捨てられたりするという問題があった。
【０００５】
書籍の販売促進法の一つとして、付加価値を付与する目的で植物の生育用材料を書籍に内蔵する技術が開示されている（特許文献１）。
【特許文献１】特開２００３−３２５０５４号公報
【発明の開示】
【発明が解決しようとする課題】
【０００６】
これまでは、植物の種等の生育用材料を書籍に附属させていただけで、書籍そのものは有効活用されず、上記したように、本棚に陳列されたまま若しくは捨てられるという問題の解決には至っていなかった。
【０００７】
また、本屋を含め、増え続ける書籍の貯蔵場所が確保できないために、多くの書籍を積み重ねることにより、希望する書籍を見つけることが困難な状況が発生していた。
【０００８】
本発明は上記問題に鑑みてなされたものであり、書籍そのものも有効活用しながら、緑化運動の促進にもつながるような植物種入り書籍を提供することを課題とする。
【課題を解決するための手段】
【０００９】
請求項１に記載の発明は、生分解性を具備する書籍であって、裏表紙には植物の種を有し、前記種の内部には球状電子タグを含むことを特徴とする植物種入り書籍である。
【００１０】
請求項２に記載の発明は、前記球状電子タグのアンテナコイルは、立体的な８の字形状のループ状コイルであることを特徴とする請求項１記載の植物種入り書籍である。
【００１１】
請求項３に記載の発明は、前記球状電子タグは、前記種が埋められている書籍の内容を記憶していることを特徴とする請求項１若しくは２に記載の植物種入り書籍である。
【００１２】
請求項４に記載の発明は、生分解性を具備する書籍は、生育用肥料成分をさらに含むことを特徴とする請求項１乃至３のいずれか１に記載の植物種入り書籍である。
【発明の効果】
【００１３】
請求項１に記載の植物種入り書籍は、書籍そのものが生分解性を具備することにより、読み終えた若しくは使用期間が過ぎた書籍を地中若しくは地表面に置くと、一定期間後には書籍を土にかえすことが可能となる。
【００１４】
また、裏表紙に植物の種を含ませることにより、そのままの状態で、書籍をプランターとして発芽、成長させることができる。
【００１５】
さらに、植物の種の内部に球状電子タグを有することにより、植物が成長した後でも、当該球状電子タグに記憶した内容を再生することができる。これにより、膨大な情報を保管することができると同時に、緑化も促進することができる。
【００１６】
請求項２に記載の植物種入り書籍は、当該種の内部に内蔵される球状電子タグのアンテナコイルが立体的な８の字形状のループ状コイルであることにより、リーダとの間にコイルの向きによる通信上の死角が生じることなく、従って、植物内部の球状電子タグの方向を気にすることなく、常に確実に記憶情報を再生することが可能となる。
【００１７】
請求項３に記載の植物種入り書籍は、当該球状電子タグに記憶される情報が、当該書籍の内容であることにより、環境保全の緑化と、書物の貯蔵場所問題とを同時に解決する緑化図書館を実現することが可能となる。
【００１８】
請求項４に記載の植物種入り書籍は、生育用肥料成分を含むことにより、より早く、かつ、より丈夫な植物に成長させることが可能となる。
【発明を実施するための最良の形態】
【００１９】
本発明の植物種入り書籍は、生分解性材料からなり、当該書籍の裏表紙に植物の種を有する。
【００２０】
生分解性を具備する書籍の材料としては、木材パルプ紙やレーヨン紙、具体的には、上質加工原紙、クラフト紙、晒クラフト紙、白板紙、グラジン、和紙等の紙基材に、ポリオキサレートフィルムを貼りあわせた生分解性ラミネート紙を用いることが好ましい。
【００２１】
当該生分解性ラミネート紙は、溶融した前記ポリキオサレートをフラット・ダイからフィルム状に押し出すと同時に、溶融状態で圧着ロールを介して前記の紙に貼り合わせて積層体を得る押出ラミネート成形法によって連続的に製造される。この場合の成形条件には特に制限はなく、フィルム成形条件やラミネート条件（圧着条件、冷却条件等）は適宜選定される。また、予め成形したポリオキサレートフィルムを加熱して紙とラミネートするいわゆる熱ラミネーション法を適用することも可能である。
【００２２】
生分解性を具備する書籍は、生育用肥料成分を含んでいても良く、生育用肥料成分としては、窒素、リン酸、及びカリの三大要素の他、カルシウム、マグネシウム、及び硫黄の中量要素も含むことが好ましい。
【００２３】
裏表紙に植物の種を配置する手法は、特に限定されないが、例えば、種子の大きさにくり抜いた穴の中に、裏表紙の厚さ方向の略中心になるように種子を配置し、穴の上部を裏表紙材料と同一の材料で埋める手法や、立体形状に切り取った部分に種子を配置し、上面を生分解性フィルム等で張設する手法等が挙げられる。
【００２４】
また、書籍を読んでいる間及び試用期間中に種子から発芽することのないように、種子の周囲を真空保存する等、発芽を遅らせる技術を用いることがより好ましい。
【００２５】
植物種の内部に配置される球状電子タグは、ポリ乳酸等の生分解性樹脂からなる球状体と、当該球状体の略中央位置に埋入された半導体チップと、アンテナコイルと、を含む。
【００２６】
当該アンテナコイルは、絶縁細線を所定の回数巻き回して一体化させたループ状のコイルからなり、当該半導体チップと電気的に接続されていると共に、半導体チップの周りを取り囲むようにして捻られており、これによって球状体内で立体的な形状を与えられている。
【００２７】
当該半導体チップには、それぞれの種子に対して異なる情報を記憶していることが望ましく、その記憶内容は、当該種子が含まれていた書籍に関するものであっても良い。
【００２８】
書籍に関する記憶情報としては、書籍のタイトル、著者、出版社、及び出版年等の書誌事項の他に、書籍に記載されている文章そのものであっても良いし、書籍に記載されている項目のキーワード検索が出来る機能を備えているのであっても良い。
【００２９】
本発明の植物種入り書籍によれば、読み終えた若しくは使用期間が過ぎた書籍が生分解してプランターの役割を果たすと同時に、裏表紙に配置された種子が発芽して緑化を促進することができ、さらに種子の内部に配置された球状電子タグによって様々な情報を記憶し、読み取ることができる。
【００３０】
当該植物種入り書籍を多数配置すれば、様々な情報を有する植物林を形成することが可能であり、環境保護と情報貯蔵場所の問題を同時に解決することが可能となる。